(57)【特許請求の範囲】
【請求項１】
ＩＤカード処理装置の本体の発光器から照射された光線を反射させるミラーを備えた偏平状に形成されたガルバノミラーと、そのガルバノミラーのミラーの反射面の傾きを変向させる情報をＩＤ情報として記憶しているメモリと、そのＩＤカード処理装置の本体の駆動が開始されるとそのメモリに記憶されているＩＤ情報に基づいて上記ガルバノミラーのミラーの反射光がそのＩＤカード処理装置の本体の受光器の所定の位置に順番に当るようにそのガルバノミラーのコイルに電流を繰返して印加する駆動回路と、を有することを特徴とするＩＤカード。
【請求項２】
ＩＤ情報は、ＩＤカード所持者の肖像、指紋等のそのＩＤカード所持者を特定する身体的特徴に基づくものであることを特徴とする請求項１に記載のＩＤカード。
【請求項３】
ＩＤカード処理装置の本体に装着された偏平状に形成されたガルバノミラー内蔵のＩＤカードのミラー部分に挿入されたＩＤカードのＩＤ情報に基づいてそのＩＤカードに同期して駆動し、光線を照射する発光器と、
前記ミラーからの反射光を受光する受光器と、
前記受光器で受光された受光位置及び順序の信号からＩＤ情報を抽出する抽出手段と、
抽出されたＩＤ情報と予め記憶されているＩＤ情報とを照合する照合手段と、
照合一致が得られたときに前記ＩＤカードを真正と判定する判定手段と、
を有することを特徴とするＩＤカード処理装置。
【請求項４】
ＩＤカード処理装置の本体に装着されたＩＤカードからＩＤ情報を読取る読取手段と、
読取られたＩＤ情報を基に偏平状に形成されたガルバノミラーのミラー部分に光線を照射する発光器と、
前記ミラーからの反射光を受光する受光器と、
前記受光器で受光された受光位置及び順序の信号からＩＤ情報を抽出する抽出手段と、
抽出されたＩＤ情報と予め記憶されているＩＤ情報とを照合する照合手段と、
照合一致が得られたときに前記ＩＤカードを真正と判定する判定手段と、
を有することを特徴とするＩＤカード処理装置。
【請求項５】
ＩＤカード処理装置の本体に装着されたＩＤカードからＩＤ情報を読取る読取手段と、
ガルバノミラーを利用したカメラを用いて前記ＩＤカードの所持者のＩＤ情報を生成する生成手段と、
生成されたＩＤ情報と前記ＩＤカードから読取られたＩＤ情報とを照合する照合手段と、
照合一致が得られたときに前記ＩＤカードの所持者を真正と判定する判定手段と、
を有することを特徴とするＩＤカード処理装置。
【請求項６】
ＩＤ情報は、ＩＤカード所持者の肖像、指紋等のそのＩＤカード所持者を特定する身体的特徴に基づくものであることを特徴とする請求項３〜５のいずれか１に記載のＩＤカード処理装置。
【発明の詳細な説明】
【０００１】
【発明の属する技術分野】
本発明は、ＩＤカード及びそのＩＤカード処理装置に係り、特に、ＩＤ情報としてガルバノミラーを利用したものに関する。
【０００２】
【従来の技術】
従来、個人を識別するＩＤカードとしては、一般的に顔写真が貼付されているカードが採用されている。したがって、このＩＤカードを用いて特定の場所や施設に入場するときは、係員によってＩＤカード所持者とそのＩＤカードに貼付されている顔写真とが判定され、その判定において同一と判定されたときに入場が許可されるように構成されている。
【０００３】
【発明が解決しようとする課題】
しかしながら、上記従来の顔写真の貼付されているＩＤカードは、顔写真が別人と巧妙に取替えられたときは、その別人を真正な所持者と誤ってしまうことがあり、必ずしもセキュリティに優れているとは言えなかった。
【０００４】
そこで、本発明は、上記欠点を解決するためになされたものであって、その目的、セキュリティに優れたＩＤカード、及びそのＩＤカードを処理することのできるＩＤカード処理装置を提供することにある。
【０００５】
【課題を解決するための手段】
本発明の請求項１に係るＩＤカードは、上記目的を達成するために、ＩＤカード処理装置の本体の発光器から照射された光線を反射させるミラーを備えた偏平状に形成されたガルバノミラーと、そのガルバノミラーのミラーの反射面の傾きを変向させる情報をＩＤ情報として記憶しているメモリと、そのＩＤカード処理装置の本体の駆動が開始されるとそのメモリに記憶されているＩＤ情報に基づいて上記ガルバノミラーのミラーの反射光がそのＩＤカード処理装置の本体の受光器の所定の位置に順番に当るようにそのガルバノミラーのコイルに電流を繰返して印加する駆動回路と、を有することを特徴としている。
【０００６】
本発明の請求項２に係るＩＤカードは、ＩＤ情報は、ＩＤカード所持者の肖像、指紋等のそのＩＤカード所持者を特定する身体的特徴に基づくものであることを特徴としている。
【０００７】
本発明の請求項３に係るＩＤカード処理装置は、上記目的を達成するために、ＩＤカード処理装置の本体に装着された偏平状に形成されたガルバノミラー内蔵のＩＤカードのミラー部分に挿入されたＩＤカードのＩＤ情報に基づいてそのＩＤカードに同期して駆動し、光線を照射する発光器と、前記ミラーからの反射光を受光する受光器と、その受光器で受光された受光位置及び順序の信号からＩＤ情報を抽出する抽出手段と、抽出されたＩＤ情報と予め記憶されているＩＤ情報とを照合する照合手段と、照合一致が得られたときに前記ＩＤカードを真正と判定する判定手段と、を有することを特徴としている。
【０００８】
本発明の請求項４に係るＩＤカード処理装置は、上記目的を達成するために、ＩＤカード処理装置の本体に装着されたＩＤカードからＩＤ情報を読取る読取手段と、読取られたＩＤ情報を基に偏平状に形成されたガルバノミラーのミラー部分に光線を照射する発光器と、前記ミラーからの反射光を受光する受光器と、その受光器で受光された受光位置及び順序の信号からＩＤ情報を抽出する抽出手段と、抽出されたＩＤ情報と予め記憶されているＩＤ情報とを照合する照合手段と、照合一致が得られたときに前記ＩＤカードを真正と判定する判定手段と、を有することを特徴としている。
【０００９】
本発明の請求項５に係るＩＤカード処理装置は、上記目的を達成するために、ＩＤカード処理装置の本体に装着されたＩＤカードからＩＤ情報を読取る読取手段と、ガルバノミラーを利用したカメラを用いて前記ＩＤカードの所持者のＩＤ情報を生成する生成手段と、生成されたＩＤ情報と前記ＩＤカードから読取られたＩＤ情報とを照合する照合手段と、照合一致が得られたときに前記ＩＤカードの所持者を真正と判定する判定手段と、を有することを特徴としている。
【００１０】
本発明の請求項６に係るＩＤカード処理装置は、ＩＤ情報は、ＩＤカード所持者の肖像、指紋等のそのＩＤカード所持者を特定する身体的特徴に基づくものであることを特徴としている。
【００１１】
【発明の実施の形態】
以下、本発明の実施の形態を図面に基づいて説明する。図１及び図２は、本発明の一実施の形態に係るＩＤカードＫ1 を製造するときの説明図、図３はそのＩＤカードＫ1 の概略構成図、図４はそのＩＤカードＫ1 が装着された状態のＩＤカード処理装置の本体（以下、「本体」という）ａの概略構成図である。
【００１２】
最初に、図３を用いてＩＤカードＫ1 から説明すると、このＩＤカードＫ1 は、周知のＩＣカード等のカード類と同様のカード状を呈していて、その内部に偏平状に形成されたガルバノミラーＧが内蔵されている。
【００１３】
この偏平状に形成されたガルバノミラーＧについては、本出願人が、先に、特開平７−１７５００５号公報、特開平７−２１８８５７号公報等で提案しているので、詳しい説明はこれら先願に譲るが、コイルＣ1 ，Ｃ2 に後述する駆動回路から電流が印加されると、ミラーＭを張設しているプレートＰは、Ｘ軸，Ｙ軸を中心にトルクが生じ、ミラーＭの反射面の傾きを自由に変更できるように構成されている。
【００１４】
なお、図３において、プレートＰに回転力を与えるための磁界を発生させる磁石は、図面を簡略化するために省略されているが、このガルバノミラーＧにおいても、コイルＣ1 ，Ｃ2 に印加される電流と磁界とによりプレートＰに回転力を生じさせるガルバノミラーの原理が採用されている。
【００１５】
ＩＤカードＫ1 には、上述の２軸式のガルバノミラーＧの他に、ＩＤ情報を記憶するメモリ（不揮発メモリ）１と、そのメモリ１に記憶されているＩＤ情報及びシステムプログラムを用いて演算処理し、上記コイルＣ1 ，Ｃ2 に印加する電流を算出するＣＰＵからなる制御器２と、その制御器２からの制御信号（電流印加信号）の基にガルバノミラーＧ（コイルＣ1 ，Ｃ2 ）を駆動するための駆動回路３と、ＩＤカードＫ1 の駆動電源４と、ＩＤカードＫ1 が本体ａに装着されたときにその本体ａ側と接続するための接続端子からなる接続部５とが設けられている。
【００１６】
なお、電源４は、ＩＤカードＫ1 が本体ａに装着されたときに、本体ａ側から電源の供給を受けるようにしたときは省略される。この場合、メモリ１に記憶されているデータが消失しないように、メモリ１は不揮発メモリが用いられる。
【００１７】
ＩＤカードＫ1 のメモリ１に記憶されるＩＤ情報の生成は、図１及び図２に示される撮像手段によって行われる。この撮像手段は、ＩＤカードＫ1 の所持者イの顔面を撮像するカメラ１００と、そのカメラ１００の撮像したデータを処理してＩＤカードＫ1 のメモリ１に記憶させるデータ処理器１０１とから構成されている。
【００１８】
カメラ１００は、周知のＣＣＤカメラを用いることもできるが、ここでは、上記ＩＤカードＫ1 に組込まれていると同様なガルバノミラーの原理を利用したカメラが使用されている。すなわち、カメラ１００の発光部１０２からは、ガルバノミラーを利用して所持者の顔面を走査するように光線が照射されるとともに、反射光が受光部１０３に入力されるように構成されている。
【００１９】
ＣＰＵを中心に形成されている制御部１０４は、発光部１０２と受光部１０３との同期をとりながら、所持者イを特定できる受光部１０３の受光位置情報を抽出し、この抽出された信号を所持者イを特定するＩＤ情報として生成し、この生成されたＩＤ情報は、接続部１０５を介してＩＤカードＫ1 のメモリ１に記憶される。また、この生成されたＩＤ情報は、後述する本体ａのメモリ１４にも送出されて記憶される。
【００２０】
なお、上述のＩＤ情報の生成は、所持者イの顔面を撮像するようにしたが、所持者の掌や指紋等の所持者を特定できる身体的特徴部分であればいずれでもよい。
【００２１】
また、撮像手段としてガルバノミラーを利用したカメラを用いたが、周知のＣＣＤカメラを用いた画像データに基づいてＩＤ情報を生成するようにしてもよい。
【００２２】
図４は、ＩＤカードＫ1 が本体ａの挿入口１０に挿入されて所定位置に装着された状態を示している。この装着状態が図示しないセンサで検出されると、本体ａの駆動が開始されるように構成されている。
【００２３】
図４中、１１は発光器であって、本体ａの所定位置に装着されたＩＤカードＫ1 のガルバノミラーＧのミラーＭに所定の入射角をもって光線を照射できるように構成されている。また、１２は受光器であって、ミラーＭで反射された発光器１１から照射された光線を受光できるように構成されている。
【００２４】
図４中、１３はＣＰＵからなる制御器であり、本体ａを統括的に駆動制御できるように構成されている。すなわち、この制御器１３は、受光器１２から入力した信号と、メモリ１４に記憶されているＩＤカードＫ1 のＩＤ情報及びシステムプログラムとを用いて、ＩＤカードＫ1 の所持者の一致状態の演算処理を行うように構成されている。
【００２５】
メモリ１４に予め記憶されるＩＤ情報は、本体ａにより処理される人間が複数の場合、それら複数のＩＤカードの情報が記憶される。
【００２６】
図４中、１５は接続端子からなる接続部であって、装着されたＩＤカードＫ1 と電気的に接続できるように構成されている。なお、ＩＤカードＫ1 が非接触式のときは、そのＩＤカードＫ1 の接続部５とこの接続部１５は、アンテナに置き換えられる。
【００２７】
次に、図５のフローチャートを用いて照合制御動作について説明する。今、ＩＤカードＫ1 が挿入口１０に挿入されて本体ａの所定位置に装着されたとする（ステップ１００肯定。以下、ステップを「Ｓ」とする。）。本体ａは、ＩＤカードＫ1 が本体ａの所定位置に装着されると駆動が開始される（Ｓ１０２）。
【００２８】
本体ａが駆動開始されると、ＩＤカードＫ1 の制御器２は、メモリ１に記憶されているＩＤ情報に基づいて、駆動回路３を介して、ミラーＭの反射光が所定の位置に順番に当るようにコイルＣ1 ，Ｃ2 に繰返して電流が印加される。
【００２９】
本体ａの制御器１３は、接続部１５を介して入力したＩＤカードＫ1 のＩＤ情報を基にして、発光器１１をＩＤカードＫ1 に同期して駆動させる。したがって、受光器１２からは、ＩＤカードＫ1 のＩＤ情報に対応した受光位置及び順序の信号が読取られる（Ｓ１０４）。
【００３０】
制御器１３は、受光器１２から得られた情報とメモリ１４に予め記憶されている情報とを照合し（Ｓ１０６）、その照合が一致したときに（Ｓ１０８肯定）、挿入されたＩＤカードＫ1 は真正なものと判定されて一致信号が出力される（Ｓ１１０）。なお、この一致信号を利用して解錠信号を出力することもできる。もちろん、その照合が不一致のとき（Ｓ１０８否定）、挿入されたＩＤカードＫ1 は、本体ａに登録されているＩＤカードではないので、一致信号は出力されず、係員に報知する等の異常処理が行われる（Ｓ１１２）。
【００３１】
図６は、本発明の他の実施の形態に係る本体ａ′の概略構成図であって、上記本体ａと異なる点は、上述のＩＤカードＫ1 内に設けられていたガルバノミラーＧを本体ａ′内に設けるようにしている。したがって、ここに示されるＩＤカードＫ2 には、図７に示されるように、ガルバノミラーＧは内蔵されないが、そのＩＤカードＫ2 のメモリ１には、上述のＩＤカードＫ1 と同様にＩＤ情報が記憶されている。
【００３２】
このように、本体ａ′にガルバノミラーＧを用いたときのガルバノミラーＧの駆動制御は、ＩＤカードＫ2 が本体ａ′に挿入されたとき、そのＩＤカードＫ2 に記憶されているＩＤ情報に基づいて行われる。
【００３３】
ＩＤカードＫ2 にガルバノミラーＧを有しないときは、ＩＤカードＫ2 を無線通信機能を備えたＩＣカードの非接触式カードとし、本体ａ′との間で非接触でデータ授受を行うようにしてもよい。したがって、本発明で「本体に装着された」というときは、このように非接触でデータ授受を行う場合も含んでいる。
【００３４】
図８は、本発明のさらに他の実施の形態を示すものであって、本体ａ″側のメモリ１４′に予めＩＤカード所持者のＩＤ情報を記憶していない例である。
【００３５】
この本体ａ″には、上記図１及び図２に示されるカメラ１００の発光部１０２と受光部１０３とが設けられていて、これらにより、上記図１及び図２に示されると同様に所持者イのＩＤ情報が生成されるように構成されている。
【００３６】
生成されたＩＤ情報は、メモリ１４′に記憶され、制御器１３′により、ＩＤカードＫ2 から取込んだＩＤ情報と生成されたＩＤ情報とが照合されるように構成されている。
【００３７】
このように、ＩＤカードＫ2 のＩＤ情報とそのＩＤカードＫ2 を実際に所持している所持者とを照合したときは、両者の一致判定をその都度行うことができ、よりセキュリティに優れたものとすることができる。
【００３８】
【発明の効果】
本発明の請求項１に係るＩＤカードは、本体の発光器から照射された光線を反射させるミラーを備えた偏平状に形成されたガルバノミラーと、そのガルバノミラーのミラーの反射面の傾きを変向させる情報をＩＤ情報として記憶しているメモリと、その本体の駆動が開始されるとそのメモリに記憶されているＩＤ情報に基づいて上記ガルバノミラーのミラーの反射光がその本体の受光器の所定の位置に順番に当るようにそのガルバノミラーのコイルに電流を繰返して印加する駆動回路と、を有するので、セキュリティに優れたＩＤカードとすることができる。
【００３９】
本発明の請求項２に係るＩＤカードは、ＩＤ情報がＩＤカード所持者の肖像、指紋等のそのＩＤカード所持者を特定する身体的特徴に基づくものであるので、よりセキュリティを高めることができる。
【００４０】
本発明の請求項３に係るＩＤカード処理装置は、本体に装着された偏平状に形成されたガルバノミラー内蔵のＩＤカードのミラー部分に挿入されたＩＤカードのＩＤ情報に基づいてそのＩＤカードに同期して駆動し、光線を照射する発光器と、前記ミラーからの反射光を受光する受光器と、その受光器で受光された受光位置及び順序の信号からＩＤ情報を抽出する抽出手段と、抽出されたＩＤ情報と予め記憶されているＩＤ情報とを照合する照合手段と、照合一致が得られたときに前記ＩＤカードを真正と判定する判定手段とからなるので、セキュリティに優れたＩＤカード処理装置とすることができる。
【００４１】
本発明の請求項４に係るＩＤカード処理装置は、本体に装着されたＩＤカードからＩＤ情報を読取る読取手段と、読取られたＩＤ情報を基に偏平状に形成されたガルバノミラーのミラー部分に光線を照射する発光器と、前記ミラーからの反射光を受光する受光器と、その受光器で受光された受光位置及び順序の信号からＩＤ情報を抽出する抽出手段と、抽出されたＩＤ情報と予め記憶されているＩＤ情報とを照合する照合手段と、照合一致が得られたときに前記ＩＤカードを真正と判定する判定手段とからなるので、セキュリティに優れたＩＤカード処理装置とすることができる。
【００４２】
本発明の請求項５に係るＩＤカード処理装置は、本体に装着されたＩＤカードからＩＤ情報を読取る読取手段と、ガルバノミラーを利用したカメラを用いて前記ＩＤカードの所持者のＩＤ情報を生成する生成手段と、生成されたＩＤ情報と前記ＩＤカードから読取られたＩＤ情報とを照合する照合手段と、照合一致が得られたときに前記ＩＤカードの所持者を真正と判定する判定手段とからなるので、セキュリティに優れたＩＤカード処理装置とすることができる。
【００４３】
本発明の請求項６に係るＩＤカード処理装置は、ＩＤ情報がＩＤカード所持者の肖像、指紋等のそのＩＤカード所持者を特定する身体的特徴に基づくものであるので、よりセキュリティを高めることができる。
【図面の簡単な説明】
【図１】ＩＤカードを製造するときの説明図である。
【図２】ＩＤカードを製造するときの説明図である。
【図３】ＩＤカードの概略構成図である。
【図４】本発明の一実施の形態に係るＩＤカードを本体に装着した状態の概略構成図である。
【図５】制御動作を示すフローチャートである。
【図６】本発明の他の実施の形態に係るＩＤカードを本体に装着した状態の概略構成図である。
【図７】本発明の他のＩＤカードの概略構成図である。
【図８】本発明のさらに他の実施の形態に係るＩＤカードを本体に装着した状態の概略構成図である。
【符号の説明】
Ｋ1 ，Ｋ2  ＩＤカード
１  メモリ
２  制御器
３  駆動回路
４  電源
５  接続部
Ｇ  ガルバノミラー
Ｍ  ミラー
Ｃ1 ，Ｃ2   コイル
Ｐ  プレート
ａ，ａ′，ａ″  ＩＤカード処理装置の本体（本体）
１０  挿入口
１１  発光器
１２  受光器
１３，１３′  制御器
１４，１４′  メモリ
１５  接続部
１００  カメラ
１０１  データ処理器
１０２  発光部
１０３  受光部
１０４  制御部
１０５  接続部
【図１】
0003587977.tif 000002
【図２】
0003587977.tif 000003
【図３】
0003587977.tif 000004
【図４】
0003587977.tif 000005
【図５】
0003587977.tif 000006
【図６】
0003587977.tif 000007
【図７】
0003587977.tif 000008
【図８】
0003587977.tif 000009